(57)【要約】本発明は、スクリーンの前方からキャビネット（２０）に対して投影ディスプレイスクリーン（１９）を取り付けるヒンジに係る。キャビネットヒンジ部（４０）はキャビネット（２０）に対して取り付けられ、スクリーンヒンジ部（５０）は細長く剛性な部材である。キャビネットヒンジ部（４９）及びスクリーンヒンジ部（５０）のうち一方は、細長い寸法に沿って延在する弓状スロット（４２）を有し、キャビネットヒンジ部（４９）及びスクリーンヒンジ部（５０）のうち他方は、その細長い寸法に沿って延在する弓状突起を有し、該弓状突起が回転式に弓状スロットと相互連結可能である。
2007531011.tif 000002
【特許請求の範囲】
【請求項１】
投影ディスプレイスクリーンを前記スクリーンの前方からキャビネットに対して取り付けるヒンジであって、
前記キャビネットに対して取り付けられるキャビネットヒンジと、
前記スクリーンを取り付けられるスクリーン枠に対して取り付けられるスクリーンヒンジと、
を有し、
前記キャビネット及び前記スクリーンはいずれも、細長く剛性な部材であり、
前記キャビネットヒンジと前記スクリーンヒンジのうち一方は、細長い寸法に沿って延在する弓状スロットを有し、前記キャビネットヒンジと前記スクリーンヒンジのうち他方は、前記弓状スロットとピボット式に相互連結可能である細長い寸法に沿って延在する弓状突起を有する、
ヒンジ。
【請求項２】
前記キャビネットヒンジ及び前記スクリーンヒンジは、連続的である、
請求項１記載のヒンジ。
【請求項３】
前記キャビネットヒンジ及び前記スクリーンヒンジは、前記細長い寸法に沿って一定の断面を有する、
請求項２記載のヒンジ。
【請求項４】
前記キャビネットヒンジ及び前記スクリーンヒンジは、押出し成形である、
請求項１記載のヒンジ。
【請求項５】
前記キャビネットヒンジ及び前記スクリーンヒンジは、アルミニウムを有して形成される、
請求項１記載のヒンジ。
【請求項６】
前記キャビネットヒンジ及び前記スクリーンヒンジは、停止点を有し、
前記停止点は、前記スクリーンが前記キャビネットに対してヒンジを有して取り付けられる際に、細長い方向に対して実質的に平行に延在し且つ互いに対して境を接する、
請求項１記載のヒンジ。
【請求項７】
投影ディスプレイであって、
キャビネットと、
スクリーン枠において取り付けられたスクリーンと、
前記キャビネットに対して取り付けられたキャビネットヒンジと、前記スクリーン枠に対して取り付けられたスクリーンヒンジとを有するヒンジ組立体と、
を有し、
前記キャビネット及び前記スクリーンはいずれも、細長く剛性な部材であり、
前記キャビネットヒンジと前記スクリーンヒンジのうち一方は、細長い寸法に沿って延在する弓状スロットを有し、前記キャビネットヒンジと前記スクリーンヒンジのうち他方は、前記弓状スロットとピボット式に相互連結可能である細長い寸法に沿って延在する弓状突起を有する、
投影ディスプレイ。
【請求項８】
前記キャビネットヒンジ及び前記スクリーンは、連続的である、
請求項７記載の投影ディスプレイ。
【請求項９】
前記キャビネットヒンジ及び前記スクリーンヒンジは、前記細長い寸法に沿って一定の断面を有する、
請求項７記載の投影ディスプレイ。
【請求項１０】
前記キャビネットヒンジ及び前記スクリーンヒンジは、押出し成形である、
請求項７記載の投影ディスプレイ。
【請求項１１】
前記キャビネットヒンジ及び前記スクリーンヒンジは、アルミニウムを有して形成される、
請求項７記載の投影ディスプレイ。
【請求項１２】
前記キャビネットヒンジ及び前記スクリーンヒンジは、停止点を有し、
前記停止点は、前記スクリーンが前記キャビネットに対してヒンジを有して取り付けられる際に、細長い方向に対して実質的に平行に延在し且つ互いに対して境を接する、
請求項７記載の投影ディスプレイ。
【発明の詳細な説明】
【技術分野】
【０００１】
本発明は、一般的に投影ディスプレイに係り、特には、投影ディスプレイスクリーンに対する枠に係る。
【背景技術】
【０００２】
投影ディスプレイテレビジョン受像機は、広く使用されている。これらの投影ディスプレイテレビジョン受像機に対するキャビネットは、典型的にはプラスチックを有して作られる。投影ディスプレイテレビジョン受像機が典型的に有する問題は、スクリーンの上方端部を垂直且つ適切な位置において維持することである。プラスチック製のキャビネットは、外観は良いが、上方端部に沿ってたわむ傾向を有し、スクリーンの上方端部を垂直に且つ適所に維持する能力を低下させる。このことが上向きの光学素子（ｕｐａｎｇｌｅ  ｏｐｔｉｃｓ）を内蔵する投影ディスプレイテレビジョン受像機において更に深刻な問題であるのは、かかるテレビジョン受像機が該素子に対してより正確なスクリーン位置を求めるためである。
【０００３】
スクリーンの上端部を保持するよう使用される従来の方法は、スクリーン枠において隆起（ｂｏｓｓｅｓ）へと入るセットの後背からのネジを有する。しかしながら、該ネジへの到達は、該セットが壁にかけられている場合に問題となる。他の先行技術は、キャビネットの上端部に沿って金属製のブラケット又は木製のブロックを使用し、スクリーン枠はフックで引っ掛かり適所へとぶら下がり得る。しかしながらこれらの取付けシステムは、スクリーンの上端部を垂直且つ適所に維持するよう基本的なキャビネットの真直性及び剛性に依存する。これらのブロック又はブラケットは、断続的であり、その全長に沿ってスクリーンを保持しないため、スクリーン枠の上端部における僅かなうねりに繋がり得る。
【発明の開示】
【発明が解決しようとする課題】
【０００４】
本発明は、投影ディスプレイをスクリーンの前方からキャビネットに対して取り付けるヒンジを与える、ことを目的とする。
【課題を解決するための手段】
【０００５】
キャビネットヒンジは、キャビネットに対して取り付けられ、スクリーンヒンジは、スクリーンがその上に取り付けられるスクリーン枠に対して取り付けられる。キャビネットヒンジ及びスクリーンヒンジは、細長く剛性な部材である。キャビネットヒンジ及びスクリーンヒンジのうち一方は、その長手寸法に沿って延在する弓状スロットを有し、キャビネットヒンジ及びスクリーンヒンジのうち他方は、細長い寸法に沿って延在する弓状突起を有し、弓状突起は、弓状スロットとピボット可能に相互連結可能である。
【発明を実施するための最良の形態】
【０００６】
本発明の実施例は、添付の図面を参照して次に説明される。
【０００７】
本発明は、図１Ａ乃至図３Ｃ中に示され、押出し成形された金属製ヒンジ機構を与える。該機構は、投影ディスプレイテレビジョン受像機枠の上部を垂直に維持し、スクリーン組立体が後背からネジを使用することなく前面から取り外され得るようにする。
【０００８】
実例的な投影ディスプレイテレビジョン受像機は、図１Ａ及び図１Ｂ中に示される。スクリーン１０は、スクリーン枠１２において取り付けられ、スクリーン１０及びスクリーン枠１２は、キャビネット２０に対して取り付けられる。図２Ａ中に最もよく示される通り、スクリーン枠１２は、ヒンジ組立体３０によってキャビネット２０に対して取り付けられる。ヒンジ組立体３０は、図２Ｂ中に示される通り、キャビネットヒンジ４０及びスクリーンヒンジ５０を有する。本発明の一実施例では、キャビネットヒンジ４０及びスクリーンヒンジ５０は、アルミニウムの押出し成形であり、スクリーン枠１２及びキャビネット２０に対する連続的な補強材として共に働く。アルミニウムの押出し成形は、製造コストが低く、優れた寸法上の安定性及び剛性特性を与える。
【０００９】
図３Ａ乃至図３Ｃにおいて示される通り、キャビネットヒンジ４０及びスクリーンヒンジ５０はまた、テレビジョン受像機の後背からネジを取り外す必要なくセットの前方から容易にスクリーン枠を取り外し得るヒンジ細部（ｈｉｎｇｅ  ｄｅｔａｉｌｓ）を組み込む。キャビネットヒンジ４０は、キャビネット２０に対して取り付けるアンカー部分４１、スクリーン１０がキャビネット２０に対して作動位置へとピボットされる際に対応する停止点５４と境を接する停止点４４、及びヒンジ部分４２を有する。一実施例では、アンカー部分４１は、キャビネット２０との圧入を形成するようキャビネット２０における突起及び／又は窪みに適合する。ヒンジ部分４２は、図示された実施例においては弓状スロットである。キャビネットヒンジ４０及びヒンジ部分４２は、細長い方向の長さ（即ちキャビネット２０の全幅）に実質的に延在し、キャビネット２０の上端部全体を補強する。
【００１０】
スクリーンヒンジ５０は、スクリーン枠１２に対して取り付けるアンカー部分５１、スクリーン１０がキャビネット２０に対して作動位置へとピボットされる際に対応する停止点４４と境を接する停止点５４、及びヒンジ部分５２を有する。一実施例では、アンカー部分５１は、スクリーン枠１２との圧入を形成するようスクリーン枠１２における突起及び／又は窪みに適合する。ヒンジ部分５２は、図示された実施例においては弓状突起である。スクリーンヒンジ５０及びヒンジ部分５２は、細長い方向の長さ（即ちスクリーン枠１２の全幅）に実質的に延在し、スクリーン枠１２の上端部全体を補強し、スクリーン１０の上端部を垂直に且つ適所に保持する。
【００１１】
一実施例では、キャビネットヒンジ４０及びスクリーンヒンジ５０は、連続的な一体的部材である。連続的であることによって、キャビネット及びスクリーンヒンジ４０，５０は、スクリーン１０及びスクリーン枠１２の上端部を垂直に維持する。場合によっては、キャビネット及びスクリーンヒンジ４０，５０は、細長い寸法に沿って一定の断面を有し得、押出し成形を比較的容易且つ低コストなものとする。
【００１２】
キャビネットは、投影ディスプレイテレビジョン受像機に対して典型的である通り、プラスチックであり得る。プラスチック製キャビネットに対して取り付けられるさ、これらのヒンジ４０，５０は、押出し成形の方式において、キャビネット２０の上端部に沿う薄型の構造部材を形成する。この構造部材は、スクリーン枠１２の重要な場所を保持する役割を果たすよう、キャビネット２０の他の構造部材へと繋げられ得る。非常に低コストのツールであるのと同様に、アルミニウムの押出し成形は、プラスチック押出し成形、成形シート金属、木材、又は成型プラスチック等の他の部分と比較して、本質的に垂直且つ合成であり、また安定性がある傾向がある。
【００１３】
スクリーン１０及びスクリーン枠１２は、スクリーンの前方から保持され、スクリーン枠に対して取り付けられたスクリーンヒンジ５０は、弓状突起（図中ヒンジ部分５２）を弓状スロット（図中ヒンジ部分４２）へと挿入することによって、及び、スクリーン１０及びスクリーン枠を適所へとピボットすることによって、キャビネットヒンジ４０と相互連結される。
【００１４】
追加的には、押出し成形が直線状であるため、キャビネット２０における迷光の悪影響を低減する「光停止（ｌｉｇｈｔ  ｓｔｏｐ）」の細部を比較的低コストで組み込む。例えば、アンカー部材４１，５１は、キャビネット２０及びスクリーン枠１２の一部分にわたって延在し得、夫々、光がキャビネット及びスクリーン枠のヒンジとの接合部において入ることを防ぐ。更には、連続的な弓状スロット４２において置かれている連続的な弓状突起５２は、光がヒンジ４０，５０を介してキャビネット２０に入ることを防ぐ。
【００１５】
境を接する停止点４４，５４は、スクリーン１０及びスクリーン枠１２に対する機械的支持、及び、スクリーン１０の垂直な位置付けの両方を与える。
【００１６】
上述されたものは、本発明を実行する複数の可能性を示すものである。多く他の実施例は、本発明の範囲及び趣旨内で可能である。例えば、実施例はスクリーンヒンジ上の弓状突起及びキャビネットヒンジにおける弓状スロットを与えるが、弓状突起及び弓状スロットは逆にされ得、球状突起がキャビネットヒンジ上に、弓状スロットがスクリーンヒンジにおいてあるようにされる。この基本的なヒンジの概念はまた、ロール成形されたシート金属又は順送り型において作られたシート金属部分を有して適用可能である。したがって、前述の説明は制限的ではなく例証的なものであるとみなされること、及び、本発明の趣旨は添付の請求項及び全ての同等のものによって与えられること、が意図される。
【図面の簡単な説明】
【００１７】
【図１Ａ】本発明の一実施例に従った投影ディスプレイテレビジョン受像機の予想前面図（ｐｒｏｓｐｅｃｔｉｖｅ  ｆｒｏｎｔ  ｖｉｅｗ）である。
【図１Ｂ】図１Ａ中の投影ディスプレイテレビジョン受像機の予想後背図である。
【図２Ａ】図１Ａ及び図１Ｂ中の投影ディスプレイテレビジョン受像機の部分的後背斜視図であり、本発明の一実施例に従ったヒンジを示す。
【図２Ｂ】図２Ａ中の組立体のヒンジの分解図であり、枠ヒンジ及びスクリーンヒンジを示す。
【図３Ａ】図２Ｂ中の枠ヒンジの断面図である。
【図３Ｂ】図２Ｂ中のスクリーンヒンジの断面図である。
【図３Ｃ】図２Ａ中のヒンジ組立体の断面図である。
【図１Ａ】
2007531011.tif 000003
【図１Ｂ】
2007531011.tif 000004
【図２Ａ】
2007531011.tif 000005
【図２Ｂ】
2007531011.tif 000006
【図３Ａ】
2007531011.tif 000007
【図３Ｂ】
2007531011.tif 000008
【図３Ｃ】
2007531011.tif 000009
【国際調査報告】
2007531011.tif 000010
2007531011.tif 000011